(57)【特許請求の範囲】
【請求項１】
通信を行う通信部と、
前記通信部により所定の通知を受信した場合に、特定の機器に対して、該特定の機器の位置情報の通知に関する設定状態の返信要求を前記通信部により送信する制御部と
を有し、
前記制御部は、前記設定状態が位置情報を送信しない旨の設定であった場合には、前記特定の機器に対して位置情報の返信要求を前記通信部により送信し、前記設定状態が位置情報を送信する旨の設定であった場合には、前記特定の機器の位置情報が受信されるまで待機する携帯電子機器。
【請求項２】
前記制御部は、一定時間、前記特定の機器から位置情報が受信されない場合には、前記特定の機器に対して、該特定の機器の位置情報の返信要求を前記通信部により送信する請求項１に記載の携帯電子機器。
【請求項３】
通信を行う通信部を有する携帯電子機器を制御する方法であって、
所定の通知を前記通信部により受信するステップと、
前記所定の通知を受信した場合に、特定の機器に対して、該特定の機器における位置情報の通知に関する設定状態の返信要求を前記通信部により送信するステップと、
前記設定状態が位置情報を送信しない旨の設定であった場合には、前記特定の機器に対して位置情報の返信要求を前記通信部により送信し、前記設定状態が位置情報を送信する旨の設定であった場合には、前記特定の機器の位置情報が受信されるまで待機するステップと
を含む通信方法。
【請求項４】
通信を行う通信部を有する携帯電子機器に、
所定の通知を前記通信部により受信するステップと、
前記所定の通知を受信した場合に、特定の機器に対して、該特定の機器における位置情報の通知に関する設定状態の返信要求を前記通信部により送信するステップと、
前記設定状態が位置情報を送信しない旨の設定であった場合には、前記特定の機器に対して位置情報の返信要求を前記通信部により送信し、前記設定状態が位置情報を送信する旨の設定であった場合には、前記特定の機器の位置情報が受信されるまで待機するステップと
を実行させる通信プログラム。
【発明の詳細な説明】
【技術分野】
【０００１】
本出願は、携帯電子機器、通信方法、及び通信プログラムに関する。
【背景技術】
【０００２】
携帯電話機等の携帯電子機器では、契約する通信回線事業者の基地局から一斉配信された報知型のメッセージを受信することができる（特許文献１など参照）。例えば、携帯電子機器で受信できる報知型のメッセージには、気象庁が配信する緊急地震速報及び津波警報、地方公共団体が発信する災害情報及び避難情報などがある。
【０００３】
上述した報知型のメッセージは、例えば、対象機器に対してブロードキャストメッセージを一斉配信するＢＣＳＭＳ（Ｂｒｏａｄ  Ｃａｓｔ  Ｓｈｏｒｔ  Ｍｅｓｓａｇｅ  Ｓｅｒｖｉｃｅ）と呼ばれるサービス、あるいは通信回線事業者が対象エリア内の機器に対して所定数以内の文字数で記述されたエリアメールを一斉配信するサービスなどにより携帯電子機器に配信される。
【先行技術文献】
【特許文献】
【０００４】
【特許文献１】特開２００７−１４８８３７号公報
【発明の概要】
【発明が解決しようとする課題】
【０００５】
ところで、携帯電話機等の携帯電子機器の中には、ＧＰＳ（Ｇｌｏｂａｌ  Ｐｏｓｉｔｉｏｎｉｎｇ  Ｓｙｓｔｅｍ）などを用いて特定の機器において計測された位置情報を、この特定の機器から取得するための機能を有するものもある。しかしながら、この機能は、同一の機器の位置情報を重複して取得する可能性があるなど、他の機器の位置情報を効率的に取得することを考えた場合に改善の余地がある。
【０００６】
上記のことから、他の機器の位置情報を効率的に取得できる携帯電子機器、通信方法、及び通信プログラムに対する必要性がある。
【課題を解決するための手段】
【０００７】
１つの態様に係る携帯電子機器は、通信を行う通信部と、前記通信部により所定の通知を受信した場合に、特定の機器に対して、該特定の機器の位置情報の通知に関する設定状態の返信要求を前記通信部により送信する制御部とを有し、前記制御部は、前記設定状態が位置情報を送信しない旨の設定であった場合には、前記特定の機器に対して位置情報の返信要求を前記通信部により送信し、前記設定状態が位置情報を送信する旨の設定であった場合には、前記特定の機器の位置情報が受信されるまで待機する。
【０００８】
１つの態様に係る通信方法は、通信を行う通信部を有する携帯電子機器を制御する方法であって、所定の通知を前記通信部により受信するステップと、前記所定の通知を受信した場合に、特定の機器に対して、該特定の機器における位置情報の通知に関する設定状態の返信要求を前記通信部により送信するステップと、前記設定状態が位置情報を送信しない旨の設定であった場合には、前記特定の機器に対して位置情報の返信要求を前記通信部により送信し、前記設定状態が位置情報を送信する旨の設定であった場合には、前記特定の機器の位置情報が受信されるまで待機するステップとを含む。
【０００９】
１つの態様に係る通信プログラムは、通信を行う通信部を有する携帯電子機器に、所定の通知を前記通信部により受信するステップと、前記所定の通知を受信した場合に、特定の機器に対して、該特定の機器における位置情報の通知に関する設定状態の返信要求を前記通信部により送信するステップと、前記設定状態が位置情報を送信しない旨の設定であった場合には、前記特定の機器に対して位置情報の返信要求を前記通信部により送信し、前記設定状態が位置情報を送信する旨の設定であった場合には、前記特定の機器の位置情報が受信されるまで待機するステップとを実行させる。
【図面の簡単な説明】
【００１０】
【図１】図１は、実施形態に係る携帯電話機１の外観上の概略構成を示す正面図である。
【図２】図２は、図１に示す携帯電話機１の外観上の概略構成を示す側面図である。
【図３】図３は、図１、図２に示す携帯電話機１の機能構成を示すブロック図である。
【図４】図４は、実施形態に係る携帯電話機３の外観上の概略構成を示す正面図である。
【図５】図５は、図４に示す携帯電話機３の機能構成を示すブロック図である。
【図６】図６は、携帯電話機１と携帯電話機３との間で実行される処理の一例を示す図である。
【図７】図７は、携帯電話機１が緊急地震速報を受信した場合に実行される処理手順の例を示す図である。
【図８】図８は、携帯電話機１が緊急地震速報を受信した場合に実行される処理手順の他の例を示す図である。
【発明を実施するための形態】
【００１１】
本出願に係る携帯電子機器、通信方法、及び通信プログラムを実施するための実施形態を、図面を参照しつつ詳細に説明する。以下の説明により、本出願に係る携帯電子機器、通信方法、及び通信プログラムが限定されるものではない。以下の説明における構成要素には、当業者が容易に想定できるもの、実質的に同一のもの、いわゆる均等の範囲のものが含まれる。以下においては、携帯電子機器の一例として携帯電話機を取り上げるが、本発明の適用対象は携帯電話機に限定されるものではなく、通信が可能な他の装置に対しても適用できる。例えば、タッチスクリーンを有する多機能携帯電話（スマートフォン）、ＰＨＳ（Ｐｅｒｓｏｎａｌ  Ｈａｎｄｙ−Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、ゲーム機等に対しても適用できる。
【００１２】
（実施形態）
図１は、実施形態に係る携帯電話機１の外観上の概略構成を示す正面図である。図２は、図１に示す携帯電話機１の外観上の概略構成を示す側面図である。図１及び図２に示すように、携帯電話機１は、折り畳み式の筐体を有する。具体的には、携帯電話機１の筐体１Ｃは、図１に示すように、第１筐体１ＣＡと第２筐体１ＣＢとで開閉可能に構成される。携帯電話機１の筐体は、このような構造に限定されるものではない。例えば、携帯電話機１の筐体は、携帯電話機１を構成する２つの筐体を重ね合わせた状態から一方の筐体と他方の筐体とを互いにスライドできるようにしたスライド式の筐体であってもよい。あるいは、携帯電話機１の筐体は、携帯電話機１を構成する２つの筐体の重ね合わせ方向に沿う軸線を中心として一方の筐体を回転させるようにしたもの、２軸ヒンジを介して両方の筐体を連結したものでもよい。あるいは、携帯電話機１は、図１及び図２に示すように、複数の筐体を連結したものには限定されず、スマートフォンのように、筐体が単一の構造であってもよい。
【００１３】
図１に示すように、第１筐体１ＣＡと第２筐体１ＣＢとは、連結部であるヒンジ機構８で連結されている。ヒンジ機構８で第１筐体１ＣＡと第２筐体１ＣＢとを連結することにより、第１筐体１ＣＡ及び第２筐体１ＣＢは、ヒンジ機構８を中心としてともに回動して、図３の矢印Ｒで示す方向に回動できるように構成される。すなわち、第１筐体１ＣＡ及び第２筐体１ＣＢは、互いに遠ざかる方向、又は互いに接近する方向に回動できる。図３の点線に示すように、携帯電話機１が折り畳まれた状態にある場合に、第１筐体１ＣＡと第２筐体１ＣＢとが互いに遠ざかる方向に回動すると、図３の実線に示すように、携帯電話機１が開いた状態になる。図３の実線に示すように、携帯電話機１が開いた状態にある場合に、第１筐体１ＣＡと第２筐体１ＣＢとが互いに接近する方向に回動すると、図３の点線で示すように、携帯電話機１が折り畳まれた状態となる。
【００１４】
第１筐体１ＣＡには、表示部として、図１に示すディスプレイ２が設けられる。ディスプレイ２は、携帯電話機１が受信を待機している状態のときに待ち受け画像を表示したり、携帯電話機１の操作を補助するために用いられるメニュー画像を表示したりする。また、第１筐体１ＣＡには、携帯電話機１の通話時に音声を出力する出力手段であるレシーバ１３が設けられる。
【００１５】
第２筐体１ＣＢには、操作キー１４Ａと、方向及び決定キー１４Ｂとが設けられる。操作キー１４Ａは、通話相手の電話番号、又はメール作成時等の文字の入力に用いられる。方向及び決定キー１４Ｂには、ディスプレイ２に表示されるメニューの選択及び決定、あるいは画面のスクロール等を容易に実行するために用いられる。操作キー１４Ａと方向及び決定キー１４Ｂとは、携帯電話機１の操作部１４を構成する。また、第２筐体１ＣＢには、携帯電話機１の通話時に音声を受け取る音声取得手段であるマイク１１が設けられる。操作部１４は、図２に示す、第２筐体１ＣＢの操作面１ＰＣに設けられる。操作面１ＰＣとは反対側の面が、携帯電話機１の背面１ＰＢである。なお、操作部１４は、上述のキー構成に代えて、表示部上に配置されたタッチセンサであってもよい。
【００１６】
図３は、図１、図２に示す携帯電話機１の機能構成を示すブロック図である。図３に示すように、携帯電話機１は、マイク１１と、スピーカ１２と、レシーバ１３と、操作部１４と、加速度センサ１５と、表示部１６と、カメラ１７と、通信部１８と、音声処理部２０と、記憶部４０と、制御部１００とを有する。
【００１７】
マイク１１は、例えば、通話時の音声、音声検索の利用時にユーザが発する音声、ノイズキャンセル処理時に利用する音など、種々の音を取得する。スピーカ１２は、例えば、携帯電話機１の筐体１Ｃ内に配置されており、着信音やメールの送信音等を出力する。レシーバ１３は、例えば、通話時の音声などを出力する。
【００１８】
操作部１４は、上述したように、操作キー１４Ａと、方向及び決定キー１４Ｂとを有し、図２に示す第２筐体１ＣＢの操作面１ＰＣに設けられる。操作キー１４Ａには、例えば、電源キー、通話キー、数字キー、文字キー、方向キー、決定キー、発信キー等の機能が割り当てられ、方向及び決定キー１４Ｂには、例えば、方向キー、決定キーの機能が割り当てられる。そして、これらのキーがユーザの操作により入力されると、操作部１４は、その操作内容に対応する信号を発生させる。発生した信号は、ユーザの指示として制御部１００へ入力される。
【００１９】
加速度センサ１５は、携帯電話機１に印加される加速度の方向及び大きさを検出する。加速度センサ１５の検出結果は、例えば、携帯電話機１の方位が分かれば、携帯電話機１の姿勢の変化、あるいは携帯電話機１の移動の有無を判定する場合などに用いることもできる。
【００２０】
表示部１６は、上述したように、ディスプレイ２を有し、制御部１００から供給される映像データに応じた映像や画像データに応じた画像を表示パネルに表示させる。ディスプレイ２は、例えば、液晶ディスプレイ（ＬＣＤ、Ｌｉｑｕｉｄ  Ｃｒｙｓｔａｌ  Ｄｉｓｐｌａｙ）、又は有機ＥＬ（Ｏｒｇａｎｉｃ  Ｅｌｅｃｒｏ−Ｌｕｍｉｎｅｓｃｅｎｃｅ）パネルなどで構成された表示パネルで構成される。表示部１６は、ディスプレイ２に加え、サブディスプレイを有していてもよい。カメラ１７は、撮影した画像を取得する。
【００２１】
通信部１８は、アンテナ１８ａを有し、基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、後述する携帯電話機３との間で電話通信及び情報通信を行う。さらに、通信部１８は、ＧＰＳ衛星からの所定の周波数帯の電波信号を受信し、受信した電波信号の復調処理を行って、処理後の信号を制御部１００に送出する。通信部１７とは別に、ＧＰＳ衛星との通信のみを行う通信部を設けてもよい。
【００２２】
音声処理部２０は、マイク１１に入力される音声信号、スピーカ１２及びレシーバ１３から出力される音声信号の処理を実行する。すなわち、音声処理部２０は、マイク１１から入力される音声を増幅し、アナログデジタル変換を実行した後、さらに符号化等の信号処理を施し、デジタルの音声データに変換してから制御部１００へ出力する。また、制御部１００から送られる音声データの復号化、デジタルアナログ変換、増幅等の処理を施し、アナログの音声信号に変換してからスピーカ１２及びレシーバ１３へ出力する。
【００２３】
記憶部４０は、オペレーティングシステムプログラム及びアプリケーションプログラム等、制御部１００での処理に利用される各種プログラム及び各種データを記憶する。例えば、記憶部４０には、表示部１６の動作を制御するアプリケーションプログラムを作動させるタスク、通信部１８の動作を制御するアプリケーションプログラムを作動させるタスク及び音声処理部２０の動作を制御するアプリケーションプログラムを作動させるタスクなどが記憶されている。また、記憶部４０には、これらのタスク以外にも、例えば、ダウンロードされた音声データ、あるいは記憶部４０に対する制御に制御部１００が用いるプログラム、通信相手の電話番号及びメールアドレス等が記述されたアドレス帳、発信音及び着信音等の音声ファイル、プログラムに基づく処理過程で用いられる一時的なデータ等が記憶される。
【００２４】
本実施形態において、記憶部４０には、少なくとも、他の携帯電話機との間で通話を含む通信を行うためのプログラム、及び気象庁が配信する緊急地震速報及び津波警報、地方公共団体が発信する災害情報及び避難情報などの報知型の所定のメッセージを受信した場合に、特定の携帯電話機に対して、特定の携帯電話機の位置情報の通知に関する設定状態の返信要求を通信部１８により送信するためのプログラムが記憶される。
【００２５】
制御部１００は、記憶部４０に記憶されている各種プログラムに基づいて処理を実行する。制御部１００は、例えば、マイクロプロセッサユニット（ＭＰＵ：Ｍｉｃｒｏ  Ｐｒｏｃｅｓｓｉｎｇ  Ｕｎｉｔ）で構成され、記憶部４０に記憶されるプログラムから命令コードを順次読み込んで、読み込んだ命令コードで指示された手順に従って携帯電話機１の各種の処理を実行する。すなわち、制御部１００は、携帯電話機１の各種の処理が、操作部１４の操作、及び携帯電話機１の記憶部４０に記憶されるプログラムに応じて適切な手順で実行されるように、表示部１６、通信部１８及び音声処理部２０等の動作を制御する。
【００２６】
制御部１００は、図３に示すように、通知設定判定部１１０及び位置情報取得部１２０を有する。
【００２７】
通知設定判定部１１０は、気象庁が配信する緊急地震速報及び津波警報、地方公共団体が発信する災害情報及び避難情報などの報知型の所定のメッセージを受信した場合に、後述する携帯電話機３の位置情報の通知に関する設定状態を判定する。
【００２８】
具体的に説明すると、通知設定判定部１１０は、通信部１８を介してメッセージを受信すると、受信したメッセージが緊急地震速報、津波警報、災害情報又は避難情報などの報知型の所定のメッセージであるか否かを判定する。例えば、通信設定判定部１１０は、ＢＣＳＭＳなどを利用した一斉配信型のブロードキャストメッセージであれば、受信したメッセージの拡張システムパラメータのブロードキャスト用の領域がページングチャネルに設定されているか否かを判定する。続いて、通信設定判定部１１０は、受信したメッセージのブロードキャスト用の領域がページングチャネルに設定されている場合には、その領域内に記述された信号を確認することにより、緊急地震速報などの報知型の所定のメッセージであるかを判定する。あるいは、例えば、通信設定判定部１１０は、通信事業者により一斉配信されるエリアメールであれば、エリアメールのヘッダ内に設けられたシステム領域のパラメータを確認することにより、緊急地震速報などの報知型の所定のメッセージであるかを判定する。
【００２９】
判定の結果、緊急地震速報などの報知型の所定のメッセージであった場合には、通知設定判定部１１０は、後述する携帯電話機３に対して、携帯電話機３の位置情報の通知に関する設定状態の返信要求を、通信部１８により送信する。そして、通知設定判定部１１０は、通信部１８を介して、携帯電話機３から返信された設定状態を受信すると、設定状態の情報を後述する位置情報取得部１２０に送る。通知設定判定部１１０は、例えば、設定状態の情報として、位置情報を通知する旨の設定（ＯＮ）、又は位置情報を通知しない旨の設定（ＯＦＦ）を受信する。
【００３０】
位置情報取得部１２０は、通知設定判定部１１０から送られた、携帯電話機３の位置情報の通知に関する設定状態の情報に応じて、携帯電話機３に対して、位置情報の返信を要求する。
【００３１】
具体的に説明すると、位置情報取得部１２０は、携帯電話機３の位置情報の通知に関する設定状態の情報が、位置情報を通知しない旨の設定（設定ＯＦＦ）である場合には、携帯電話機３に対して、位置情報の返信要求を通信部１８により送信する。一方、位置情報取得部１２０は、携帯電話機３の位置情報の通知に関する設定状態の情報が、位置情報を通知する旨の設定（設定ＯＮ）である場合には、通信部１８を介して、携帯電話機３の位置情報が受信されるまで待機する。
【００３２】
図４は、実施形態に係る携帯電話機３の外観上の概略構成を示す正面図である。図４に示すように、携帯電話機３には、各種画像を表示するディスプレイ３２と、操作入力に用いられる操作部３３と、音声を出力するレシーバ３６が設けられている。
【００３３】
図５は、図４に示す携帯電話機３の機能構成を示すブロック図である。図５に示すように、携帯電話機３は、操作部３３と、マイク３４と、スピーカ３５と、レシーバ３６と、表示部３７と、通信部３８と、音声処理部５０と、記憶部７０と、制御部２００とを有する。
【００３４】
操作部３３は、例えば、数字キー、方向キー、決定キー、発信キー等の機能が割り当てられた複数のキーを有する。そして、これらのキーがユーザの操作により入力されると、操作部３３は、その操作内容に対応する信号を発生させる。発生した信号は、ユーザの指示として制御部２００へ入力される。
【００３５】
マイク３４は、例えば、通話時の音声、音声検索の利用時にユーザが発する音声、ノイズキャンセル処理時に利用する音など、種々の音を取得する。スピーカ３５は、例えば、携帯電話機１の筐体１Ｃ内に配置されており、着信音やメールの送信音等を出力する。レシーバ３６は、例えば、通話時の音声などを出力する。
【００３６】
表示部３７は、ディスプレイ３２を有し、制御部２００から供給される映像データに応じた映像や画像データに応じた画像を表示パネルに表示させる。
【００３７】
通信部３８は、アンテナ３８ａを有し、基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、上述した携帯電話機１との間で電話通信及び情報通信を行う。さらに、通信部３８は、ＧＰＳ衛星からの所定の周波数帯の電波信号を受信し、受信した電波信号の復調処理を行って、処理後の信号を制御部２００に送出する。通信部３８とは別に、ＧＰＳ衛星との通信のみを行う通信部を設けてもよい。
【００３８】
音声処理部５０は、マイク３４に入力される音声信号、スピーカ３５及びレシーバ３６から出力される音声信号の処理を実行する。
【００３９】
記憶部７０は、制御部２００での処理に利用される各種プログラム及び各種データを記憶する。本実施形態において、記憶部７０には、少なくとも、位置情報の通知に関する設定状態の情報、ＧＰＳを利用して位置測位を実行するプログラム、携帯電話機１から位置情報の通知に関する設定状態の返信要求を受信した場合に、設定状態の情報を返信するためのプログラム、及び位置情報の返信要求を受信した場合及び緊急地震速報などの所定のメッセージを受信した場合に、測位した位置情報を送信するプログラムが記憶される。
【００４０】
制御部２００は、記憶部７０に記憶されている各種プログラムに基づいて処理を実行する。制御部１００は、例えば、マイクロプロセッサユニットで構成され、記憶部７０に記憶されるプログラムから命令コードを順次読み込んで、読み込んだ命令コードで指示された手順に従って携帯電話機３の各種の処理を実行する。
【００４１】
具体的には、制御部２００は、通信部３８を介して、携帯電話機１から位置情報の通知に関する設定状態の返信要求を受信すると、記憶部７０から設定状態の情報を読み込み、読み込んだ設定状態の情報を、通信部３８により携帯電話機１に返信する。制御部２００は、通信部３８を介して、携帯電話機１から位置情報の返信要求を受信した場合及び緊急地震速報などの所定のメッセージを受信した場合に、ＧＰＳ衛星からの電波信号に基づいて位置測位を実行し、測位した位置情報を通信部３８により携帯電話機１に返信する。
【００４２】
図６を用いて、携帯電話機１と携帯電話機３との間で実行される処理の一例を説明する。図６は、携帯電話機１と携帯電話機３との間で実行される処理の一例を示す図である。
【００４３】
図６に示すように、携帯電話機１は、緊急地震速報を受信すると、位置情報の通知に関する設定状態の返信要求を送信する（ステップＳ１１）。携帯電話機３は、携帯電話機１から位置情報の通知に関する設定状態の返信要求を受信すると、位置情報の通知に関する設定状態の情報を携帯電話機１に返信する（ステップＳ１２）。
【００４４】
携帯電話機１は、携帯電話機３の位置情報の通知に関する設定状態の情報が、位置情報を通知しない旨の設定である場合（設定状態がＯＦＦの場合）には、携帯電話機３に対して、位置情報の返信要求を送信する（ステップＳ２１）。携帯電話機３は、携帯電話機１から位置情報の返信要求を受信した場合には、位置測位を実行し、測位した位置情報を通信部３８により携帯電話機１に返信する（ステップＳ２２）。
【００４５】
一方、携帯電話機１は、携帯電話機３の位置情報の通知に関する設定状態の情報が、位置情報を通知する旨の設定である場合（設定状態がＯＮの場合）には、位置情報が受信されるまで待機する（ステップＳ３１）。
【００４６】
図７を参照しながら、携帯電話機１にて実行される処理手順の例について説明する。図７は、携帯電話機１が緊急地震速報を受信した場合に実行される処理手順の例を示す図である。図７に示す処理手順は、制御部１００が、記憶部４０に記憶されているプログラムを実行することによって実現される。図７に示す処理手順は、携帯電話機１の起動中に繰り返し実行される。
【００４７】
図７に示すように、通知設定判定部１１０は、通信部１８を介してメッセージを受信すると、ステップＳ１０１として、受信したメッセージが緊急地震速報であるか否かを判定する。
【００４８】
通知設定判定部１１０は、判定の結果、受信したメッセージが緊急地震速報である場合には（ステップＳ１０１，Ｙｅｓ）、ステップＳ１０２として、携帯電話機３に対して、携帯電話機３の位置情報の通知に関する設定状態の返信要求を、通信部１８により送信する。
【００４９】
続いて、位置情報取得部１２０は、ステップＳ１０３として、携帯電話機３の位置情報の通知に関する設定状態の情報が、位置情報を通知する旨の設定（設定ＯＮ）であるか否かを判定する。
【００５０】
位置情報取得部１２０は、判定の結果、携帯電話機３の位置情報の通知に関する設定状態の情報が、位置情報を通知する旨の設定ではない、すなわち、位置情報を通知しない旨の設定（設定ＯＦＦ）である場合には（ステップＳ１０３，Ｎｏ）、ステップＳ１０４として、携帯電話機３に対して、位置情報の返信要求を通信部１８により送信し、受信したメッセージに関して図７の処理手順を終了する。
【００５１】
一方、位置情報取得部１２０は、判定の結果、携帯電話機３の位置情報の通知に関する設定状態の情報が、位置情報を通知する旨の設定（設定ＯＮ）である場合には（ステップＳ１０３，Ｙｅｓ）、ステップＳ１０５として、通信部１８を介して、携帯電話機３の位置情報が受信されるまで待機する。
【００５２】
ここで、ステップＳ１０１において、通知設定判定部１１０は、判定の結果、受信したメッセージが緊急地震速報ではない場合には（ステップＳ１０１，Ｎｏ）、受信したメッセージに関して図７の処理手順をそのまま終了する。
【００５３】
図７は、携帯電話機１が緊急地震速報を受信した場合に実行される処理手順を示しているが、緊急地震速報以外の報知型の所定のメッセージ、例えば、津波警報、地方公共団体が発信する災害情報及び避難情報などを受信した場合にも、図７に示す処理手順を適用できる。
【００５４】
上述してきたように、携帯電話機１は、緊急地震速報などの所定のメッセージを受信した場合に、携帯電話機３に対して、位置情報の通知に関する設定状態の返信要求を送信するので、携帯電話機３が位置情報を通知する状態にあるか否かを確認できる。
【００５５】
携帯電話機１は、携帯電話機３が位置情報を通知する状態にない場合には、携帯電話機３に対して位置情報の返信要求を送信するので、携帯電話機３の位置情報を重複して取得することを防止でき、携帯電話機３の位置情報を効率的に取得できる。
【００５６】
上述した実施形態では、携帯電話機１は、緊急地震速報などの所定のメッセージを受信した場合に、携帯電話機３に対して、位置情報の通知に関する設定状態の返信要求を送信する例を説明したが、これには限定されない。例えば、携帯電話機１は、携帯電話機３に対して、位置情報の通知に関する設定状態の返信要求を送信する前に、携帯電話機３から位置情報を取得した場合には、設定状態の返信要求を送信しないようにしてもよい。
【００５７】
上述した実施形態では、携帯電話機３は、携帯電話機１から位置情報の返信要求を受信した場合及び緊急地震速報などの所定のメッセージを受信した場合に、測位した位置情報を送信する例を説明したが、これには限定されない。例えば、携帯電話機３は、位置情報を送信した後に、携帯電話機１から位置情報の返信要求を受信した場合には、位置情報を送信しないようにしてもよいし、再度、位置測位を実行して、位置情報を携帯電話機１に送信してもよい。
【００５８】
上述した実施形態では、携帯電話機１は、携帯電話機３の位置情報の通知に関する設定状態の情報が、位置情報を通知する旨の設定（設定ＯＮ）である場合には、携帯電話機３の位置情報が受信されるまで待機する例を説明したが、これには限定されない。例えば、携帯電話機１は、一定時間が経過しても、携帯電話機３の位置情報が受信されない場合には、携帯電話機３に対して、位置情報の送信を要求してもよい。以下、図８を参照して、この場合の処理手順を説明する。図８は、携帯電話機１が緊急地震速報を受信した場合に実行される処理手順の他の例を示す図である。図８に示すステップＳ２０１〜ステップＳ２０５の処理手順は、図７に示すステップＳ１０１〜ステップＳ１０５の処理手順に対応する。
【００５９】
図８に示すように、通知設定判定部１１０は、通信部１８を介してメッセージを受信すると、ステップＳ２０１として、受信したメッセージが緊急地震速報であるか否かを判定する。
【００６０】
通知設定判定部１１０は、判定の結果、受信したメッセージが緊急地震速報である場合には（ステップＳ２０１，Ｙｅｓ）、ステップＳ２０２として、携帯電話機３に対して、携帯電話機３の位置情報の通知に関する設定状態の返信要求を、通信部１８により送信する。
【００６１】
続いて、位置情報取得部１２０は、ステップＳ２０３として、携帯電話機３の位置情報の通知に関する設定状態の情報が、位置情報を通知する旨の設定（設定ＯＮ）であるか否かを判定する。
【００６２】
位置情報取得部１２０は、判定の結果、携帯電話機３の位置情報の通知に関する設定状態の情報が、位置情報を通知する旨の設定ではない、すなわち、位置情報を通知しない旨の設定（設定ＯＦＦ）である場合には（ステップＳ２０３，Ｎｏ）、ステップＳ２０４として、携帯電話機３に対して、位置情報の返信要求を通信部１８により送信する。
【００６３】
一方、位置情報取得部１２０は、判定の結果、携帯電話機３の位置情報の通知に関する設定状態の情報が、位置情報を通知する旨の設定（設定ＯＮ）である場合には（ステップＳ２０３，Ｙｅｓ）、ステップＳ２０５として、通信部１８を介して、携帯電話機３の位置情報が受信されるまで待機する。
【００６４】
続いて、位置情報取得部１２０は、ステップＳ２０６として、緊急地震速報を受信してから一定時間が経過したか否かを判定する。
【００６５】
位置情報取得部１２０は、判定の結果、緊急地震速報を受信してから一定時間が経過していない場合には（ステップＳ２０６，Ｎｏ）、携帯電話機３の位置情報の受信待機を継続する。一方、位置情報取得部１２０は、判定の結果、緊急地震速報を受信してから一定時間が経過している場合には（ステップＳ２０６，Ｙｅｓ）、上述したステップＳ２０４の処理手順に移り、携帯電話機３に対して、位置情報の返信要求を通信部１８により送信し、受信したメッセージに関して図８の処理手順を終了する。
【００６６】
ここで、ステップＳ２０１において、通知設定判定部１１０は、判定の結果、受信したメッセージが緊急地震速報ではない場合には（ステップＳ２０１，Ｎｏ）、受信したメッセージに関して図８の処理手順をそのまま終了する。
【００６７】
図８に示す処理手順では、携帯電話機１は、一定時間が経過しても、携帯電話機３の位置情報が受信されない場合には、携帯電話機３に対して、位置情報の送信を要求するので、携帯電話機３の位置情報を取得する可能性を高めることができる。
【００６８】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００６９】
１  携帯電話機
１Ｃ  筐体
１１  マイク
１２  スピーカ
１３  レシーバ
１４  操作部
１５  加速度センサ
１６  表示部
１７  カメラ
１８  通信部
２０  音声処理部
４０  記憶部
１００  制御部
１１０  通知設定判定部
１２０  位置情報取得部
【図１】
0005753512.tif 000002
【図２】
0005753512.tif 000003
【図３】
0005753512.tif 000004
【図４】
0005753512.tif 000005
【図５】
0005753512.tif 000006
【図６】
0005753512.tif 000007
【図７】
0005753512.tif 000008
【図８】
0005753512.tif 000009